(57)【要約】【課題】消毒薬を含むウェブの取り出しが容易で、作業性の良好な消毒用具を提供する。【解決手段】本発明の消毒用具は、消毒薬を含む可撓性ウェブと、可撓性ウェブを挟む２枚のフィルムとを備え、可撓性ウェブの周囲において２枚のフィルムをヒートシール処理してある。重なり合った２枚のフィルムの１の縁部に、ヒートシール処理をしていない開封口を有し、開封口から２枚のフィルムのヒートシール処理をした部分を引き剥がし、露出する可撓性ウェブにより消毒する。フィルムは、基材フィルム層と、基材フィルム層の熱融着する側に熱融着樹脂層を有し、フィルムのヒートシール処理をした部分のうち開封口側の部分が平面視、山状であり、山の頂上が開封口に向かって配向する。【選択図】図１
2012213416.tif 000002
【特許請求の範囲】
【請求項１】
消毒薬を含む可撓性ウェブと、該可撓性ウェブを挟む２枚のフィルムとを備え、可撓性ウェブの周囲において２枚の前記フィルムをヒートシール処理した消毒用具であり、
重なり合った２枚の前記フィルムの１の縁部に、ヒートシール処理をしていない開封口を有し、該開封口から２枚のフィルムのヒートシール処理をした部分を引き剥がし、露出する可撓性ウェブにより消毒する消毒用具であって、
前記フィルムは、基材フィルム層と、該基材フィルム層の熱融着する側に熱融着樹脂層を有し、
フィルムのヒートシール処理をした部分のうち開封口側の部分が平面視、山状であり、山の頂上が開封口に向かって配向する消毒用具。
【請求項２】
フィルムのヒートシール処理をした部分のうち開封口側の部分が、平面視、複数の山状である請求項１に記載の消毒用具。
【請求項３】
平面視矩形状の消毒用具であって、前記開封口が矩形の角部に配置する請求項１または２に記載の消毒用具。
【請求項４】
前記可撓性ウェブは、２重構造または３重構造の綿ガーゼである請求項１〜３のいずれかに記載の消毒用具。
【請求項５】
前記可撓性ウェブは、２枚の前記フィルムの一方に接合する請求項１〜４のいずれかに記載の消毒用具。
【請求項６】
前記可撓性ウェブが接合するフィルムは、開封口を形成する縁部に対向する側の縁部に、ヒートシール処理をしていない余白部を有し、該余白部は、ヒートシール処理をした部分からフィルムの末端までの距離が５ｍｍ〜２０ｍｍである請求項５に記載の消毒用具。
【請求項７】
消毒薬を含む可撓性ウェブと、該可撓性ウェブを挟む２枚のフィルムとを備え、可撓性ウェブの周囲において２枚の前記フィルムをヒートシール処理した消毒用具の使用方法であり、
前記フィルムは、基材フィルム層と、該基材フィルム層の熱融着する側に熱融着樹脂層を有し、
重なり合った２枚の前記フィルムの１の縁部に、ヒートシール処理をしていない開封口を備え、
フィルムのヒートシール処理をした部分のうち開封口側の部分が平面視、山状であり、山の頂上が開封口に向かって配向する消毒用具の使用方法であって、
前記開封口から２枚のフィルムのヒートシール処理をした部分を引き剥がす工程と、
露出する可撓性ウェブが外側を向くように、可撓性ウェブを保持するフィルムを２折りにし、フィルムの対向する縁部同士を重ね合せる工程と、
重ね合わせた前記縁部を把持し、可撓性ウェブにより消毒する工程と
を備える消毒用具の使用方法。
【発明の詳細な説明】
【技術分野】
【０００１】
本発明は、消毒薬を含有するウェブをパッケージした消毒用具に関し、消毒用ウェブの取り出しが容易で、作業性が良好な消毒用具の使用方法に関する。
【背景技術】
【０００２】
注射時の皮膚の消毒、外傷・炎症を起こした皮膚の消毒、または注射針等の医療用器具の消毒には、エタノールまたはポビドンヨード等の消毒液を含浸した脱脂綿やガーゼ等のウェブが使用される。また、消毒用ウェブは、消毒液の蒸散を防止するために、最近では密封容器にパッケージして提供され、一回の消毒に使用するウェブをパッケージした使い捨ての消毒用具も繁用され、これらは携帯にも便利である。
【０００３】
図３は、密封容器にパッケージした従来の消毒用具の１例を示す（特許文献１参照）。図３（ａ）は、消毒用具３１の平面図であり、図３（ｂ）は、図３（ａ）におけるＩＩＩＢ−ＩＩＩＢにより、消毒用具３１を切断したときの断面図である。この消毒用具３１は、図３に示すように、消毒液を含浸した１枚のウェブ３３を封筒状の収納袋３２に入れて、密閉したパッケージであり、収納袋３２の縁部にＶ字状の切り欠き部３５を有する。使用時に、Ｖ字状の切り欠き部３５から収納袋３２を切り裂くことにより、収納袋３２を開け、内部に収納されているウェブ３３を取り出し、消毒に用いる。かかる消毒用具によれば、消毒用ウェブを１枚ずつ取り出せるため、無駄のない消毒が可能であると記載されている。
【０００４】
図４は、密封容器にパッケージした従来の消毒用具の他の例を示す（特許文献２参照）。図４（ａ）は、消毒用具４１の構造を示す模式図であり、図４（ｂ）は、消毒用部４１の斜視図である。この消毒用具４１は、図４に示すように、２枚のシート４２ａ，４２ｂの間に、消毒液を含浸したウェブ４３を挟んだ後、シート４２ａ，４２ｂを重ね合わせて、ウェブ４３の周囲をシール部４４で封止することにより形成する。片方のシート４２ａは、シール部４４に不連続領域４５を有し、不連続領域４５は、切れ目または線状の細孔等からなる。この不連続領域４５に沿って折り畳み、シート４２ａ，４２ｂを引き裂いた後、消毒液を含浸したウェブ４３を取り出し、消毒に用いることができる。不連続領域４５に沿って折り畳んだ後、引き裂くことにより、引き裂きが容易になると記載されている。
【０００５】
しかし、図３および図４に示す消毒用具はいずれも、密封容器を切り裂いた後、容器内に収容している消毒用のウェブを取り出す必要がある。このため、消毒用のウェブを指で取り出すと、消毒液により指先が刺激され、指先の皮膚が荒れやすくなる。これを避けるため、消毒用ウェブをピンセット等で取り出すと、消毒の作業性が低下する。
【先行技術文献】
【特許文献】
【０００６】
【特許文献１】特開平７−１１６０７２号公報
【特許文献２】特開２００９−２３３３３４号公報
【発明の概要】
【発明が解決しようとする課題】
【０００７】
本発明の課題は、消毒薬を含む可撓性ウェブをパッケージした消毒用具であって、消毒の作業時に、消毒液により作業者の指先が刺激されることがなく、指先の皮膚荒れを防止することができる消毒用具を提供することにある。また、消毒薬を含むウェブの取り出しが容易で、作業性の良好な消毒用具の使用方法を提供することを課題とする。
【課題を解決するための手段】
【０００８】
本発明の消毒用具は、消毒薬を含む可撓性ウェブと、可撓性ウェブを挟む２枚のフィルムとを備え、可撓性ウェブの周囲において２枚のフィルムをヒートシール処理してある。重なり合った２枚のフィルムの１の縁部に、ヒートシール処理をしていない開封口を有し、開封口から２枚のフィルムのヒートシール処理をした部分を引き剥がし、露出する可撓性ウェブにより消毒する。フィルムは、基材フィルム層と、基材フィルム層の熱融着する側に熱融着樹脂層を有し、フィルムのヒートシール処理をした部分のうち開封口側の部分が平面視、山状であり、山の頂上が開封口に向かって配向する。
【０００９】
フィルムのヒートシール処理をした部分のうち開封口側の部分が、平面視、複数の山状である態様が好ましい。また、平面視矩形状の消毒用具であって、開封口が矩形の角部に配置する消毒用具が好適である。一方、可撓性ウェブは、２重構造または３重構造の綿ガーゼが適当であり、可撓性ウェブは、２枚のフィルムの一方に接合する態様が好ましい。可撓性ウェブが接合するフィルムは、開封口を形成する縁部に対向する側の縁部に、ヒートシール処理をしていない余白部を有し、余白部は、ヒートシール処理をした部分からフィルムの末端までの距離が５ｍｍ〜２０ｍｍであるものが好ましい。
【００１０】
本発明の消毒用具の使用方法は、消毒薬を含む可撓性ウェブと、可撓性ウェブを挟む２枚のフィルムとを備え、可撓性ウェブの周囲において２枚のフィルムをヒートシール処理した消毒用具の使用方法である。フィルムは、基材フィルム層と、基材フィルム層の熱融着する側に熱融着樹脂層を有し、重なり合った２枚のフィルムの１の縁部に、ヒートシール処理をしていない開封口を備える。フィルムのヒートシール処理をした部分のうち開封口側の部分が平面視、山状であり、山の頂上が開封口に向かって配向する。かかる消毒用具の使用方法は、開封口から２枚のフィルムのヒートシール処理をした部分を引き剥がす工程と、露出する可撓性ウェブが外側を向くように、可撓性ウェブを保持するフィルムを２折りにし、フィルムの対向する縁部同士を重ね合せる工程とを有する。つぎに、重ね合わせた縁部を把持し、可撓性ウェブにより消毒する。
【発明の効果】
【００１１】
本発明の消毒用具は、消毒時の作業性が良好であるため、作業者の負担を軽減することができる。また、注射時の皮膚の消毒、外傷・炎症を起こした皮膚の消毒、または注射針等の医療用器具の消毒用具として好適である。
【図面の簡単な説明】
【００１２】
【図１】本発明の消毒用具の説明図である。
【図２】本発明の消毒用具の平面図である。
【図３】密封容器にパッケージした従来の消毒用具の１例を示す図である。
【図４】密封容器にパッケージした従来の消毒用具の他の例を示す図である。
【図５】本発明に係る平面視矩形状の消毒用具であって、開封口が矩形の角部に配置する例を示す平面図である。
【発明を実施するための形態】
【００１３】
本発明の消毒用具を図１に示す。図１（ａ）は、消毒用具の構造を示す模式図であり、図１（ｂ）は、消毒用具の平面図である。図１（ａ）に示すように、消毒用具は、消毒薬を含む可撓性ウェブ３と、可撓性ウェブ３を挟む２枚のフィルム２ａ，２ｂとを備える。また、図１（ｂ）に示すように、消毒用具１は、可撓性ウェブ３の周囲において、２枚のフィルム２ａ，２ｂをヒートシール処理し、ヒートシール処理をした部分４により、可撓性ウェブ３をパッケージする。図１（ｂ）では、消毒用具１の内部構造を説明するために、可撓性ウェブ３を点線で表示し、ヒートシール処理をした部分４を破線で表示する。
【００１４】
重なり合った２枚のフィルム２ａ，２ｂの１の縁部２１には開封口を有し、開封口は、ヒートシール処理をしていないため、２枚のフィルム２ａ，２ｂは重なり合った状態で各々自由端を有する。したがって、２枚のフィルム２ａ，２ｂの各自由端を引っ張ることにより、開封口から２枚のフィルム２ａ，２ｂのヒートシール処理をした部分４を引き剥がすことができる。ヒートシール処理をした部分４を引き剥がすことにより、消毒用具１内の可撓性ウェブ３が露出し、露出した可撓性ウェブ３により消毒をすることができる。
【００１５】
図１（ｂ）に示すように、消毒用具において、フィルムのヒートシール処理をした部分４のうち開封口側の部分４ａは、平面視、山状であり、山の頂上が開封口に向かって配向する。このため、２枚のフィルム２ａ，２ｂの各自由端を引っ張ることにより、２枚のフィルム２ａ，２ｂのヒートシール処理をした部分４を開封口から容易に引き剥がすことができる。
【００１６】
本発明の消毒用具の使用方法は、図１（ｂ）に示す構造を有する消毒用具の使用方法であり、開封口から２枚のフィルムのヒートシール処理をした部分４を引き剥がす工程を有する。図１（ａ）には、２枚のフィルム２ａ，２ｂを引き剥がした後、可撓性ウェブ３がフィルム２ｂ上に保持されている例を示す。つぎに、露出する可撓性ウェブ３が外側を向くように、たとえば１点破線ＩＡ−ＩＡに沿って、フィルム２ｂを２折りにし、フィルムの対向する縁部２１，２２同士を重ね合せる。その後、重ね合わせた縁部２１，２２を把持し、可撓性ウェブ３により消毒する。かかる方法により、注射時の皮膚の消毒、外傷・炎症を起こした皮膚の消毒を効果的に行うことができ、消毒時に消毒液が指先に付くことを避けることが可能となり、消毒液による指先の荒れを防止することができる。
【００１７】
開封口が配置する縁部２１と、縁部２１に対向する側の縁部２２とが重なるように、折り目である１点破線ＩＡ−ＩＡの方向を調整する態様が好ましい。本発明の消毒用具は、構造上、開封口側に、消毒薬を含む可撓性ウェブが配置しない余白部が有るため、かかる態様とすることにより、縁部２１，２２同士を重ね合わせることができ、消毒作業を行うときに、消毒薬の指先への付着を効果的に防止することができる。
【００１８】
可撓性ウェブ３が、２枚のフィルムの一方に接合する態様が好ましい。図１（ａ）には、可撓性ウェブ３がフィルム２ｂに接合している態様を示す。かかる態様は、可撓性ウェブ３が外側を向くように、フィルム２ｂを２折りにするときに、可撓性ウェブの脱落を防止することができる。可撓性ウェブとフィルムの接合は、たとえば、可撓性ウェブとフィルムの間に熱融着樹脂層を設けることにより行うことができる。まず、フィルム上に熱融着樹脂層をコーティング等により形成し、つぎに、消毒薬を含まない可撓性ウェブを置き、熱圧着する。接合後、消毒薬を可撓性ウェブに含浸させることにより形成することができる。接合する部位は、可撓性ウェブの全面としてもよく、一部とすることもできる。可撓性ウェブの一部とするときは、把持する両縁部の近傍とする態様が好ましい。
【００１９】
図１（ａ）に示すように、可撓性ウェブ３が接合するフィルム２ｂは、開封口が配置する縁部２１に対向する側の縁部２２に、ヒートシール処理をしていない余白部２ｂ１を有する態様が好ましい。余白部２ｂ１を有することにより、１点破線ＩＡ−ＩＡに沿って、フィルム２ｂを２折りにし、重ね合わせた縁部２１，２２を把持するときに、消毒液が指先に付着しないように把持することが容易となる。かかる観点から、余白部２ｂ１は、図１（ｂ）に示すように、ヒートシール処理をした部分４からフィルムの末端までの距離Ｌが５ｍｍ〜２０ｍｍである態様が好ましい。図１には、フィルム２ｂに余白部２ｂ１があり、フィルム２ａに余白部がない態様を示すが、フィルム２ａが余白部を有していても支障はない。また、余白部は、図１に示す例では平面視矩形であるが、消毒薬の指先への付着を防止できるものであれば、その形状は問わない。
【００２０】
図５は、平面視矩形状の消毒用具であって、開封口が矩形の角部に配置する例を示す平面図である。図５では、消毒用具１の内部構造を説明するために、可撓性ウェブ３を点線で表示し、ヒートシール処理をした部分４を破線で表示する。図５に示すように、平面視矩形状の消毒用具１の角部に開封口を配置すると、フィルムのヒートシール処理をした部分４のうち、開封口側の部分４ａが平面視、山状であり、山の頂上が開封口に向かって配向する。したがって、開封口から２枚のフィルムのヒートシール処理をした部分４を引き剥がす作業を容易に行うことができる。図５には、平面視、正方形状の消毒用具を例示する。図５に示すように、開封口を配置する縁部２１と、縁部２１に対向する縁部２２とを重ねるように２折りすると、折り目は、正方形の対角線Ｖ−Ｖと重なり、折り目上にある可撓性ウェブ３の長さを最長にすることができるため、同一の面積であっても消毒能力を最大に引き出すことができる。
【００２１】
図５に示す例では、開封口が配置する縁部２１が、外方に拡張したような余白を有する。かかる余白を有することにより、フィルムの引き剥がし作業を一層容易化できる。また、フィルムを２折りにし、重ね合わせた縁部２１，２２を把持するときに、消毒液の指先への付着をより効果的に防止することができる。かかる観点から、ヒートシール処理をした部分４からフィルムの末端までの距離Ｌ１は、５ｍｍ〜２０ｍｍである態様が好ましい。また、図５に示す例では、縁部２２が、外方に拡張したような余白部２ｂ１を有し、余白部２ｂ１は、ヒートシール処理をしていない。かかる余白部２ｂ１を有することにより、フィルムを２折りにし、縁部２１，２２を重ね合わせて把持するときに、消毒液の指先への付着を一層効果的に防止することができる。余白部２ｂ１は、ヒートシール処理をした部分４からフィルムの末端までの距離Ｌ２が、５ｍｍ〜２０ｍｍである態様が好ましい。
【００２２】
注射針等の医療用器具の消毒等では、必ずしも可撓性ウェブが外側を向くように、フィルムを２折りにして使用する必要はなく、開封口から２枚のフィルムのヒートシール処理をした部分を引き剥がした後、フィルム上の可撓性ウェブをそのまま使用して、消毒することができる。
【００２３】
図２は、本発明の消毒用具の平面図であり、消毒用具１の内部構造を説明するために、可撓性ウェブ３を点線で表示し、ヒートシール処理をした部分４を破線で表示する。図２に示すように、フィルムのヒートシール処理をした部分４のうち開封口側の部分４ａが、平面視、複数の山状である態様が好ましい。かかる態様により、平面視、単一の山状である態様に比べて、山状のシール部分が配置する領域を狭くすることができ、消毒用具内の可撓性ウェブの面積比率を増大し、消毒能力を高めることができる。また、可撓性ウェブ３を保持するフィルムを２折りにし、縁部２１，２２を把持して消毒する場合において、可撓性ウェブ３の幅Ｗが広いため、折り目上にある可撓性ウェブ３が長くなり、消毒能力を高めることができる。一方、かかる態様とすることにより、幅Ｗを広くしても、平面視、単一の山状である態様と同様に、開封口から２枚のフィルムを容易に引き剥がすことができる。
【００２４】
フィルムのヒートシール処理をした部分４のうち開封口側の部分４ａが、平面視、複数の山状である態様としては、たとえば、図２（ａ）に示すように、同様の形状であり、同様の大きさを有する複数の山が並列する態様がある。また、たとえば、図２（ｂ）に示すように、中央域に位置する山の高さが、両側に位置する山の高さより高く、両側に位置する山が、中央域に位置する山の麓に配置する態様がある。また、たとえば、図２（ｃ）に示すように、中央域に位置する山の高さが、両側に位置する山の高さより低く、両側に位置する山が、中央域に位置する山の外輪山のように配置し、両側に位置する山が、中央域に向かって張出している態様がある。図２（ａ）では、４つの山からなる態様を例示するが、２つの山または３つの山からなる態様および５つ以上の山からなる態様においても、同様である。一方、図２（ｂ）と図２（ｃ）では、３つの山からなる態様を例示したが、４つ以上の山からなる態様においてもまた同様である
【００２５】
消毒薬は、微生物やウイルスを死滅させ、感染力を失わせるために使用する薬物であり、たとえば、消毒用イソプロパノール（イソプロパノールを６８．０容量％〜７２．０容量％含有する。）、消毒用エタノール（エタノールを７６．９容量％〜８１．４容量％含有する。）等がある。消毒用エタノールと消毒用イソプロパノールは、細菌に作用すると、細菌の細胞を変性し、溶菌作用を表し、消毒効果を発揮するが、作業者の指先に接触すると、アルコールにより指先の細胞が変性し、指先が荒れやすくなる。その他、消毒薬として、ポビドンヨード（ポリビリルピロリドンとヨウ素の複合体で、１０容量％程度の水溶液として用いる。）、グルコン酸クロルヘキシジン、塩化ベンザルコニウム、塩化ベンゼトニウム等を使用することができる。
【００２６】
可撓性ウェブは、ガーゼ、脱脂綿または不織布が好適である。可撓性ウェブは、目的とする仕様に応じて、１枚の可撓性ウェブを１重構造にして、フィルムでパッケージしてもよく、１枚の可撓性ウェブを折り畳み、多重構造にし、フィルムでパッケージしてもよく、複数枚の可撓性ウェブを積層して、フィルムでパッケージしてもよい。可撓性ウェブに、たとえば、綿ガーゼを使用する場合、可撓性ウェブが外側を向くようにフィルムを２折りにして皮膚を消毒するときに、フィルムの折り目の末端にあるフィルムが皮膚に触れて皮膚を刺激することがないようにする点で、２重構造または３重構造の綿ガーゼを使用する態様が好ましい。
【００２７】
消毒薬を含む可撓性ウェブは、たとえば、０．３０ｍｇ〜０．３５ｍｇの脱脂綿に対し、１．６ｍＬ程度の消毒用エタノールを含浸させたものを好ましく使用することができる。消毒用具のサイズは、矩形の消毒用具の場合、１辺が５ｃｍ〜６ｃｍ程度、厚さが２ｍｍ程度以下のものが、使用および携帯において好ましい。
【００２８】
ヒートシールは、パッケージに使用するフィルムを構成する基材フィルム層と熱融着樹脂層の材質等により異なるが、エンボスヒートシールが好適である。エンボスヒートシールは、凹凸を有するヒートシールであり、凹凸には、ゴザ目、点状目、格子目、直線目、波型目がある。パターンピッチは、ゴザ目では、０．４ｍｍ〜０．８ｍｍが好ましい。パターンピッチが０．４ｍｍより小さいと、ヒートブロック金型による成形が難しくなる。一方、パターンピッチが０．８ｍｍより大きいと非透過性が低下する。
【００２９】
シール部の帯幅は３ｍｍ〜８ｍｍが好ましい。帯幅が３ｍｍよりも狭いと、十分な非透過性と無菌性が得られない。一方、帯幅が８ｍｍより広いと、フィルムの引き剥がし作業が困難になる傾向が有る。シール強度は、ＪＩＳ  Ｚ０２３８により、３Ｎ／１５ｍｍ〜１５Ｎ／１５ｍｍが好ましい。シール強度が３Ｎ／１５ｍｍより小さいと、ヒートシール部分の剥れが発生しやすくなる。一方、シール強度が１５Ｎ／１５ｍｍより大きいと、フィルムの引き剥がしが困難になりやすい。
【００３０】
可撓性ウェブをパッケージするフィルムは、基材フィルム層と、基材フィルム層の熱融着する側に熱融着樹脂層を有する。基材フィルム層と熱融着樹脂層との接着強度を高める点で、基材フィルム層と熱融着樹脂層との間にドライラミネート接着剤層を有する態様が好ましい。基材フィルム層としては、機械的強度が大きく、化学的に安定である点で、ポリエステル、ポリアミド、ポリアラミド、ポリエチレンまたはポリプロピレン等のポリオレフィン、ポリスチレン、ポリアクリル、ポリメタクリル、ポリカーボネート、ポリアセタール、フッ素樹脂、ポリアクリロニトリル、ポリビニルアルコール等からなるシートを好ましく使用することができる。また、基材フィルムの厚さは、１０μｍ〜５０μｍが好適である。基材フィルム層には、「開封口」等の文字のほか、図形、記号等の印刷を施すことができる。
【００３１】
熱融着樹脂層は、加熱により溶融し、隣接する２層を相互に融着する。したがって、シール機能を発揮することができ、また、可撓性ウェブとフィルムの接合に利用することができる。熱融着樹脂層には、低密度ポリエチレン、中密度ポリエチレン、高密度ポリエチレン、ポリプロピレン等のポリオレフィン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、ポリオレフィン系樹脂をアクリル酸、メタクリル酸等の不飽和カルボン酸で変性した酸変性ポリオレフィンを好ましく使用することができる。
【００３２】
また、熱融着樹脂層には、ポリ酢酸ビニル、ポリ（メタ）アクリル酸、ポリ塩化ビニル、ポリスチレン、ポリアクリロニトリル、アクリロニトリル−スチレン共重合体、アクリロニトリル−スチレン−ブタジエン共重合体、熱融着性のポリエチレンテレフタレート等からなる樹脂を好ましく使用することができる。ヒートシールにおける熱融着樹脂層の厚さは、３μｍ〜４０μｍが好ましく、５μｍ〜３０μｍがより好ましい。熱融着樹脂層の厚さが３μｍより薄いと、接着性が不十分となり易く、厚さが４０μｍより厚いと、フィルムの引き剥がし作業が困難になる傾向が有る。一方、可撓性ウェブとフィルムの接合においては、熱融着樹脂層の厚さは、１０μｍ〜８０μｍが好ましい。厚さが１０μｍより薄いと、接着性が不十分となりやすく、厚さは８０μｍより厚いと、可撓性ウェブ中の消毒薬が熱融着樹脂層に浸透する傾向がある。
【００３３】
ドライラミネート接着剤層は、２液硬化型接着剤が好適であり、ポリエステルウレタンポリオール／芳香族ポリイソシアネート系、ポリエーテルポリウレタン／エポキシ系、ポリエーテルウレタンポリオール／脂肪族ポリイソシアネート系、ポリエステル／脂肪族イソシアネート系、ポリエステル／芳香族イソシアネート系が好ましい。ドライラミネート接着剤層は、ドライラミネート接着剤の溶液を、基材フィルム層または熱融着樹脂層に、グラビアコート、ロールコート等によりコーティングし、あるいはグラビア印刷、フレキソ印刷、スクリーン印刷等により形成することができる。ドライラミネート接着剤層の厚さは、２ｇ／ｍ2〜２０ｇ／ｍ2が好ましい。
【００３４】
フィルムには、水蒸気、水、ガス等の透過を防止するために、中間基材層を設けることができる。たとえば、中間基材層として、酸化珪素、酸化アルミニウム等の無機酸化物の蒸着膜、低密度ポリエチレン、中密度ポリエチレン、高密度ポリエチレン、ポリプロピレン、エチレン−プロピレン共重合体、ポリ塩化ビニリデン、ポリビニルアルコール、エチレン−酢酸ビニル共重合体等からなるシート、アルミニウムの蒸着膜、アルミニウム箔等が好適である。中間基材層の厚さは、たとえば、無機酸化物の蒸着膜では１００Å〜２５００Åが好ましく、樹脂シートでは１０μｍ〜１００μｍが好ましい。
【００３５】
（実施例１）
フィルムは、基材フィルム層にポリエチレンテレフタレートフィルム（厚さ１４μｍ）を用い、熱融着樹脂層にポリアクリルニトリルフィルム（品名：ハイトロンＢＸ、タマポリ株式会社製、厚さ１８μｍ）を用い、中間基材層にアルミニウム箔（厚さ６μｍ）を用い、これらの積層フィルムを使用した。
【００３６】
消毒薬は、エタノールを８０容積％含み、イソプロパノールを３．７容積％含むアルコール溶液を用いた。このアルコール溶液１．６ｍＬを、０．３２ｇの脱脂綿（４ｃｍ×４ｃｍ、２枚）に含浸した後、図１（ａ）に示すように、２枚のフィルム２ａ，２ｂに挟み、図１（ｂ）に示すように、消毒薬を含む脱脂綿の周囲をエンボスヒートシールした。
【００３７】
ヒートシール部の帯幅は６ｍｍであり、エンボスパターンは０．６ｍｍピッチのゴザ目とした。また、ヒートシールは、四方を同時に金型でヒートシールする合掌方式で行い、処理温度１８０℃、処理圧０．９ＭＰａであった。
【００３８】
得られた消毒用具は、６ｃｍ×８ｃｍであり、図１に示すように、重なり合った２枚のフィルム２ａ，２ｂの１の縁部２１に、ヒートシール処理をしていない開封口を有するものであった。また、ヒートシール処理をした部分４のうち、開封口側の部分４ａが平面視、山状であり、山の頂上が開封口に向かって配向していた。このため、開封口から、２枚のフィルム２ａ，２ｂのヒートシール処理をした部分４を容易に引き剥がすことができた。また、引き剥がすことにより露出した可撓性ウェブにより皮膚の消毒を行うことができた。
【産業上の利用可能性】
【００３９】
消毒薬を含むウェブの取り出しが容易であり、作業性が良好な消毒用具を提供することができる。
【符号の説明】
【００４０】
１，３１，４１  消毒用具
２ａ，２ｂ  フィルム
２ｂ１  余白部
３  可撓性ウェブ
４  ヒートシール処理をした部分
２１，２２  縁部
３２  収納袋
３３  ウェブ
３５  切り欠き部
４２ａ，４２ｂ  シート
４３  ウェブ
４４  シール部
４５  不連続領域
【図１】
2012213416.tif 000003
【図２】
2012213416.tif 000004
【図３】
2012213416.tif 000005
【図４】
2012213416.tif 000006
【図５】
2012213416.tif 000007